(57)【要約】【課題】帰属先を変更する必要なく、無線基地局間での無線通信によるトラフィックを低減することができ、無線通信の帯域を有効に活用することができるようにする。【解決手段】（１）無線通信端末３がパケットを送信。無線ＡＰ２ａおよび有線ＡＰ１ｂが受信する。（２）有線ＡＰ１ｂは、ＡＣＫ（Acknowledge；確認応答）パケットに代理送信（代理処理）する旨の識別子を格納して送信する。（３）無線ＡＰ２ａは、有線ＡＰ１ｂからのＡＣＫパケットの代理処理識別子を確認し、バックホールへの配送を停止する。有線ＡＰ１ｂがパケットを送信先へ配送する。【選択図】図５
2008017419.tif 000002
【特許請求の範囲】
【請求項１】
無線通信によりパケットを受信する無線受信手段を備えた無線基地局であって、
前記無線受信手段により受信されたパケットに基づいて判断される当該パケットの無線送信経路よりも、当該パケットの送信先アドレスに該無線基地局から送信する無線送信経路の方が無線送信経路として短いか否かを判定する判定手段と、
前記判定手段により該無線基地局から該パケットを送信する方が無線送信経路として短いと判定された場合、前記無線受信手段により受信された該パケットを該送信先アドレスに送信する送信制御手段と、を備えたことを特徴とする無線基地局。
【請求項２】
前記無線基地局は、バックボーン回線に有線で接続されると共に、バックボーン回線に無線通信を用いて接続される第２の無線基地局に無線で接続されて用いられ、
前記第２の無線基地局に帰属する無線通信端末から前記無線基地局の担当するアドレスに送信するパケットを前記無線受信手段が受信すると、
前記判定手段は、前記第２の無線基地局を経由して送信する無線送信経路よりも、該パケットの送信先アドレスに前記無線基地局から送信する無線送信経路の方が無線送信経路として短いと判定し、
前記送信制御手段は、前記判定手段の該判定により該パケットを前記バックボーン回線へ送信することを特徴とする請求項１記載の無線基地局。
【請求項３】
前記判定手段により前記無線基地局から送信する方が無線送信経路として短いと判定された場合、該無線基地局が受信したパケットを前記送信先アドレスに送信する旨を、前記無線受信手段により受信されたパケットに基づいて判断される当該パケットの無線送信経路にある他の無線基地局に通知する送信通知手段を備えたことを特徴とする請求項１または２記載の無線基地局。
【請求項４】
前記送信通知手段による通知情報は、前記無線受信手段により受信されたパケットに対する受信確認パケットと、前記送信制御手段が送信を行う旨の識別子とを含む情報として構成されることを特徴とする請求項３記載の無線基地局。
【請求項５】
前記無線基地局は、バックボーン回線に接続された第１の無線基地局に無線通信で接続されて用いられ、該無線基地局に帰属する無線通信端末からのパケットを受信した際、該パケットを前記バックボーン回線へ送信する旨の通知を前記第１の無線基地局から受信すると、該パケットを無線通信により他の無線基地局へ送信しないようにする送信停止手段を備えたことを特徴とする請求項１記載の無線基地局。
【請求項６】
無線通信によりパケットを受信する無線受信手段を備えた無線基地局であって、
前記無線受信手段により受信されたパケットの発信元装置の帰属先無線基地局よりも該無線基地局の方が該パケットの送信先アドレスに送信経路として近いか否かを判定する判定手段と、
前記判定手段により該無線基地局の方が送信経路として近いと判定された場合、前記無線受信手段により受信された該パケットを該送信先アドレスに送信する送信制御手段と、を備えたことを特徴とする無線基地局。
【請求項７】
前記発信元装置は無線通信端末であり、
前記無線基地局は、バックボーン回線に有線で接続されると共に、バックボーン回線に無線通信を用いて接続される第２の無線基地局に無線で接続されて用いられ、
前記第２の無線基地局に帰属する無線通信端末から前記無線基地局の担当するアドレスに送信するパケットを前記無線受信手段が受信すると、
前記判定手段は、前記第２の無線基地局よりも前記無線基地局の方が該パケットの送信先アドレスに送信経路として近いと判定し、
前記送信制御手段は、前記判定手段の該判定により該パケットを前記バックボーン回線へ送信することを特徴とする請求項６記載の無線基地局。
【請求項８】
前記判定手段により前記無線基地局の方が送信経路として近いと判定された場合、該無線基地局が受信したパケットを前記送信先アドレスに送信する旨を前記帰属先無線基地局に通知する送信通知手段を備えたことを特徴とする請求項６または７記載の無線基地局。
【請求項９】
前記送信通知手段による通知情報は、前記無線受信手段により受信されたパケットに対する受信確認パケットと、前記送信制御手段が送信を行う旨の識別子とを含む情報として構成されることを特徴とする請求項８記載の無線基地局。
【請求項１０】
前記受信確認パケットは、前記無線受信手段により受信されたパケットの発信元装置の帰属先である無線基地局からのパケットとして送信されることを特徴とする請求項９記載の無線基地局。
【請求項１１】
前記発信元装置は無線通信端末であり、
前記無線基地局は、バックボーン回線に接続された第１の無線基地局に無線通信で接続されて用いられ、該無線基地局に帰属する無線通信端末からのパケットを受信した際、該パケットを前記バックボーン回線へ送信する旨の通知を前記第１の無線基地局から受信すると、該パケットを無線通信により他の無線基地局へ送信しないようにする送信停止手段を備えたことを特徴とする請求項６記載の無線基地局。
【請求項１２】
バックボーン回線に有線で接続された第１の無線基地局と、バックボーン回線に無線通信を用いて接続される第２の無線基地局と、を備えた無線通信システムであって、
前記第１の無線基地局は、前記第２の無線基地局に帰属する無線通信端末から当該第１の無線基地局の担当するアドレスに送信するパケットを受信すると、当該パケットを前記バックボーン回線へ送信する送信制御手段を備えたことを特徴とする無線通信システム。
【請求項１３】
前記第１の無線基地局は、前記送信制御手段が前記パケットを前記バックボーン回線へ送信する時に、当該送信する旨を前記第２の無線基地局に通知する送信通知手段を備えたことを特徴とする請求項１２記載の無線通信システム。
【請求項１４】
前記第２の無線基地局は、前記送信通知手段からの前記通知を受信すると、当該通知により前記第１の無線基地局が送信するパケットを該第２の無線基地局から他の無線基地局へ送信しないようにする送信停止手段を備えたことを特徴とする請求項１３記載の無線通信システム。
【請求項１５】
前記送信通知手段による前記通知は、前記無線通信端末からのパケットに対する当該無線通信端末の帰属先である前記第２の無線基地局としての受信確認パケットと、前記送信制御手段が送信を行う旨の識別子とを含む情報として構成されることを特徴とする請求項１３または１４記載の無線通信システム。
【請求項１６】
無線基地局が無線通信によりパケットを受信する無線受信工程と、
前記無線受信工程で受信したパケットに基づいて判断される当該パケットの無線送信経路よりも、当該パケットの送信先アドレスに該無線基地局から送信する無線送信経路の方が無線送信経路として短いか否かを判定する判定工程と、
前記判定工程により該無線基地局から該パケットを送信する方が無線送信経路として短いと判定された場合、前記無線受信工程で受信した該パケットを該送信先アドレスに送信する送信制御工程と、を備えたことを特徴とする通信制御方法。
【請求項１７】
前記無線基地局は、バックボーン回線に有線で接続されると共に、バックボーン回線に無線通信を用いて接続される第２の無線基地局に無線で接続されて用いられ、
前記第２の無線基地局に帰属する無線通信端末から前記無線基地局の担当するアドレスに送信するパケットを前記無線受信工程で受信すると、
前記判定工程では、前記第２の無線基地局を経由して送信する無線送信経路よりも、該パケットの送信先アドレスに前記無線基地局から送信する無線送信経路の方が無線送信経路として短いと判定し、
前記送信制御工程では、前記判定工程の該判定により該パケットを前記バックボーン回線へ送信することを特徴とする請求項１６記載の通信制御方法。
【請求項１８】
前記判定工程により前記無線基地局から送信する方が無線送信経路として短いと判定された場合、該無線基地局が受信したパケットを前記送信先アドレスに送信する旨を、前記無線受信工程で受信したパケットに基づいて判断される当該パケットの無線送信経路にある他の無線基地局に通知する送信通知工程を備えたことを特徴とする請求項１６または１７記載の通信制御方法。
【請求項１９】
前記送信通知工程における通知情報は、前記無線受信工程で受信したパケットに対する受信確認パケットと、前記送信制御工程が送信を行う旨の識別子とを含む情報として構成されることを特徴とする請求項１８記載の通信制御方法。
【請求項２０】
前記無線基地局は、バックボーン回線に接続された第１の無線基地局に無線通信で接続されて用いられ、該無線基地局に帰属する無線通信端末からのパケットを受信した際、該パケットを前記バックボーン回線へ送信する旨の通知を前記第１の無線基地局から受信すると、該パケットを無線通信により他の無線基地局へ送信しないようにする送信停止工程を備えたことを特徴とする請求項１６記載の通信制御方法。
【請求項２１】
無線基地局が無線通信によりパケットを受信する無線受信工程と、
前記無線受信工程で受信したパケットの発信元装置の帰属先無線基地局よりも該無線基地局の方が該パケットの送信先アドレスに送信経路として近いか否かを判定する判定工程と、
前記判定工程により該無線基地局の方が送信経路として近いと判定された場合、前記無線受信工程で受信した該パケットを該送信先アドレスに送信する送信制御工程と、を備えたことを特徴とする通信制御方法。
【請求項２２】
前記発信元装置は無線通信端末であり、
前記無線基地局は、バックボーン回線に有線で接続されると共に、バックボーン回線に無線通信を用いて接続される第２の無線基地局に無線で接続されて用いられ、
前記第２の無線基地局に帰属する無線通信端末から前記無線基地局の担当するアドレスに送信するパケットを前記無線受信工程で受信すると、
前記判定工程では、前記第２の無線基地局よりも前記無線基地局の方が該パケットの送信先アドレスに送信経路として近いと判定し、
前記送信制御工程では、前記判定工程の該判定により該パケットを前記バックボーン回線へ送信することを特徴とする請求項２１記載の通信制御方法。
【請求項２３】
前記判定工程により前記無線基地局の方が送信経路として近いと判定された場合、該無線基地局が受信したパケットを前記送信先アドレスに送信する旨を前記帰属先無線基地局に通知する送信通知工程を備えたことを特徴とする請求項２１または２２記載の通信制御方法。
【請求項２４】
前記送信通知工程における通知情報は、前記無線受信工程で受信したパケットに対する受信確認パケットと、前記送信制御工程が送信を行う旨の識別子とを含む情報として構成されることを特徴とする請求項２３記載の通信制御方法。
【請求項２５】
前記受信確認パケットは、前記無線受信工程で受信したパケットの発信元装置の帰属先である無線基地局からのパケットとして送信されることを特徴とする請求項２４記載の通信制御方法。
【請求項２６】
前記発信元装置は無線通信端末であり、
前記無線基地局は、バックボーン回線に接続された第１の無線基地局に無線通信で接続されて用いられ、該無線基地局に帰属する無線通信端末からのパケットを受信した際、該パケットを前記バックボーン回線へ送信する旨の通知を前記第１の無線基地局から受信すると、該パケットを無線通信により他の無線基地局へ送信しないようにする送信停止工程を備えたことを特徴とする請求項２１記載の通信制御方法。
【請求項２７】
無線基地局に、
無線通信によりパケットを受信する無線受信処理と、
前記無線受信処理で受信したパケットに基づいて判断される当該パケットの無線送信経路よりも、当該パケットの送信先アドレスに該無線基地局から送信する無線送信経路の方が無線送信経路として短いか否かを判定する判定処理と、
前記判定処理により該無線基地局から該パケットを送信する方が無線送信経路として短いと判定された場合、前記無線受信処理で受信した該パケットを該送信先アドレスに送信する送信制御処理と、を実行させることを特徴とする通信制御プログラム。
【請求項２８】
前記無線基地局は、バックボーン回線に有線で接続されると共に、バックボーン回線に無線通信を用いて接続される第２の無線基地局に無線で接続されて用いられ、
前記第２の無線基地局に帰属する無線通信端末から前記無線基地局の担当するアドレスに送信するパケットを前記無線受信処理で受信すると、
前記判定処理では、前記第２の無線基地局を経由して送信する無線送信経路よりも、該パケットの送信先アドレスに前記無線基地局から送信する無線送信経路の方が無線送信経路として短いと判定し、
前記送信制御処理では、前記判定処理の該判定により該パケットを前記バックボーン回線へ送信することを特徴とする請求項２７記載の通信制御プログラム。
【請求項２９】
前記判定処理により前記無線基地局から送信する方が無線送信経路として短いと判定された場合、
前記無線基地局に、
当該無線基地局が受信したパケットを前記送信先アドレスに送信する旨を、前記無線受信処理で受信したパケットに基づいて判断される当該パケットの無線送信経路にある他の無線基地局に通知する送信通知処理を実行させることを特徴とする請求項２７または２８記載の通信制御プログラム。
【請求項３０】
前記送信通知処理における通知情報は、前記無線受信処理で受信したパケットに対する受信確認パケットと、前記送信制御処理が送信を行う旨の識別子とを含む情報として構成されることを特徴とする請求項２９記載の通信制御プログラム。
【請求項３１】
前記無線基地局は、バックボーン回線に接続された第１の無線基地局に無線通信で接続されて用いられ、
前記無線基地局に、
当該無線基地局に帰属する無線通信端末からのパケットを受信した際、該パケットを前記バックボーン回線へ送信する旨の通知を前記第１の無線基地局から受信すると、該パケットを無線通信により他の無線基地局へ送信しないようにする送信停止処理を実行させることを特徴とする請求項２７記載の通信制御プログラム。
【請求項３２】
無線基地局に、
無線通信によりパケットを受信する無線受信処理と、
前記無線受信処理で受信したパケットの発信元装置の帰属先無線基地局よりも該無線基地局の方が該パケットの送信先アドレスに送信経路として近いか否かを判定する判定処理と、
前記判定処理により該無線基地局の方が送信経路として近いと判定された場合、前記無線受信処理で受信した該パケットを該送信先アドレスに送信する送信制御処理と、を実行させることを特徴とする通信制御プログラム。
【請求項３３】
前記発信元装置は無線通信端末であり、
前記無線基地局は、バックボーン回線に有線で接続されると共に、バックボーン回線に無線通信を用いて接続される第２の無線基地局に無線で接続されて用いられ、
前記第２の無線基地局に帰属する無線通信端末から前記無線基地局の担当するアドレスに送信するパケットを前記無線受信処理で受信すると、
前記判定処理では、前記第２の無線基地局よりも前記無線基地局の方が該パケットの送信先アドレスに送信経路として近いと判定し、
前記送信制御処理では、前記判定処理の該判定により該パケットを前記バックボーン回線へ送信することを特徴とする請求項３２記載の通信制御プログラム。
【請求項３４】
前記判定処理により前記無線基地局の方が送信経路として近いと判定された場合、
前記無線基地局に、
当該無線基地局が受信したパケットを前記送信先アドレスに送信する旨を前記帰属先無線基地局に通知する送信通知処理を実行させることを特徴とする請求項３２または３３記載の通信制御プログラム。
【請求項３５】
前記送信通知処理における通知情報は、前記無線受信処理で受信したパケットに対する受信確認パケットと、前記送信制御処理が送信を行う旨の識別子とを含む情報として構成されることを特徴とする請求項３４記載の通信制御プログラム。
【請求項３６】
前記受信確認パケットは、前記無線受信処理で受信したパケットの発信元装置の帰属先である無線基地局からのパケットとして送信されることを特徴とする請求項３５記載の通信制御プログラム。
【請求項３７】
前記発信元装置は無線通信端末であり、
前記無線基地局は、バックボーン回線に接続された第１の無線基地局に無線通信で接続されて用いられ、
前記無線基地局に、
当該無線基地局に帰属する無線通信端末からのパケットを受信した際、該パケットを前記バックボーン回線へ送信する旨の通知を前記第１の無線基地局から受信すると、該パケットを無線通信により他の無線基地局へ送信しないようにする送信停止処理を実行させることを特徴とする請求項３２記載の通信制御プログラム。
【発明の詳細な説明】
【技術分野】
【０００１】
本発明は、バックボーン回線への接続に、有線のみを用いる無線基地局と無線を用いる無線基地局とが混在する無線通信システム、無線基地局、通信制御方法、および通信制御プログラムに関する。
【背景技術】
【０００２】
従来より、有線ＬＡＮ（Local Area Network）などのバックボーン回線との接続点までの通信経路、例えばアクセスポイント間通信などに無線回線を用いたメッシュネットワークでは、ユーザから送信されたパケットが接続先のアクセスポイント（無線基地局）により受信され、上位ネットワーク（バックホール）へとリレー処理される。
こうしたバックボーン回線との接続点までの通信経路として利用される無線回線の帯域は、バックボーン回線に無線通信を用いて接続されるアクセスポイント（以下、無線ＡＰ）の複数により共用され、各無線ＡＰに接続される無線通信端末によるユーザトラフィックは、この共有される無線回線を通してパケットの送信先へと配送される。
【０００３】
また、従来の無線通信システムとして、無線局がホップ数情報を取得し、その無線局が上位接続先無線基地局に直接接続できない場合、ホップ数が最小となる他の無線基地局を選定して接続するようにしたものがある（例えば、特許文献１参照）。
【０００４】
こうした従来の無線通信システムでは、バックボーン回線との接続点までの通信経路として使用される無線回線の帯域に上限があるため、この帯域を各無線ＡＰに接続している無線通信端末のユーザパケットがシェアして利用することとなっている。
例えば、図７の例を用いて説明すると、無線ＡＰ５０２ａに帰属している無線通信端末が、送信先アドレス192.168.1.0/24に対してパケットを送信する場合、送信されたパケットは、帰属先の無線ＡＰ５０２ａから無線基地局間の無線通信のリレーを２回行い、送信先アドレス192.168.1.0/24を担当アドレスとする有線ＡＰ５０１ｂに送信され、そこから有線回線により送信先へと送られることになる。
【０００５】
また、モバイルノードがホームエージェントとの間でのホップ数および通信遅延時間の少なくとも何れかを計測し、通信遅延時間が所定値以上になると、属するエージェントを通信遅延が所定値以下であるものに変更し、そうでないときは、ホップ数が所定値以上になると、属するエージェントをホップ数が所定値以下であるものに変更するようにしたものがある（例えば、特許文献２参照）。
【０００６】
こうした従来のシステムによる、ホップ数に応じて帰属先の変更を行う構成の問題点について、図８を参照して説明する。
図８の例に示すように、無線ＡＰ５０２ａに帰属している無線通信端末が、送信先アドレス192.168.1.0/24に対してパケットを送信する場合、送信先アドレス192.168.1.0/24を担当アドレスとする有線ＡＰ５０１ｂに帰属した方がホップ数が少なくて済むため、まず帰属先無線基地局を有線ＡＰ５０１ｂに切り替え、その後にデータフレームの送信を行うとする（通信経路Ａ）。
【０００７】
この後、例えば無線通信端末が使用するアプリケーションを切り替える動作などにより、送信先アドレスが10.1.1.0/24に切り替えられたとすると、新たな帰属先無線基地局となっている有線ＡＰ５０１ｂから、図８の例に示される順に無線ＡＰ５０２ｂ、無線ＡＰ５０２ａ、有線ＡＰ５０１ａと３回のリレーを行う必要がある（通信経路Ｂ）。
【特許文献１】特開２００１−２３７７６４号公報
【特許文献２】特開２００４−７５７８号公報
【発明の開示】
【発明が解決しようとする課題】
【０００８】
しかしながら、図７を用いて上述した従来の無線通信システムでは、無線通信端末がパケットの送信先に対してネットワーク的に遠い位置にある場合、バックボーン回線に有線のみで接続されるアクセスポイント（有線ＡＰ）に送信されるまでにリレーされる回数（ホップ数）が多くなってしまい、帯域を多く消費してしまう虞があった。
【０００９】
また、上述した特許文献１のものは、無線局がホップ数情報を取得する処理が必要であると共に、バックボーン回線に無線を用いて接続された無線基地局がクライアント端末からパケットを受信した場合、少なくとも１回はホップする必要があり、トラフィック低減につながらないこともあった。
【００１０】
また、上述した特許文献２のものは、通信遅延時間やホップ数を所定値以下とするように帰属先を変更するため、モバイルノードからの送信先アドレスが変更されると、その度に帰属先変更を行う必要が発生してしまっていた。
【００１１】
図８を用いて上述した例で述べると、送信先アドレス10.1.1.0/24を担当アドレスとする有線ＡＰ５０１ａに帰属先無線基地局を切り替えれば上述した問題を回避できるが、そのためにはアプリケーションによって送信先アドレスが変更される度に帰属先のアクセスポイントを切り替えていく必要があった。
【００１２】
ここで、送信先アドレスが変更される度に帰属先を切り替えるとなると、以下のような問題が発生する虞がある。
（１）  帰属先切り替え処理のために切り替え時間がかかり、無通信状態が発生しかねず、場合によってはセッションが切れる虞もあるなど、通信に支障が発生する虞があった。
（２）  認証サーバにより認証を行う場合であれば、切り替え処理に伴って暗号鍵情報の送受信が必要となることもあり、トラフィック量の増大を招いてしまう虞があった。
（３）  切り替え先での通信のために必要な帯域を取り直す必要があるため、例えば切り替え処理と同時に他の端末が帰属要求を同時に発信してくると、場合によっては帰属のし直しができない虞があった。
【００１３】
本発明はこのような状況に鑑みてなされたものであり、他の装置からホップ数の情報を取得する必要なく、さらに帰属先を変更する必要もなく、無線基地局間での無線通信によるトラフィックを低減することができ、無線通信の帯域を有効に活用することができる無線通信システム、無線基地局、通信制御方法、および通信制御プログラムを提供することを目的とする。
【課題を解決するための手段】
【００１４】
かかる目的を達成するために、本発明の第１の態様としての無線基地局は、無線通信によりパケットを受信する無線受信手段を備えた無線基地局であって、上記無線受信手段により受信されたパケットに基づいて判断される当該パケットの無線送信経路よりも、当該パケットの送信先アドレスに該無線基地局から送信する無線送信経路の方が無線送信経路として短いか否かを判定する判定手段と、上記判定手段により該無線基地局から該パケットを送信する方が無線送信経路として短いと判定された場合、上記無線受信手段により受信された該パケットを該送信先アドレスに送信する送信制御手段と、を備えたことを特徴とする。
【００１５】
上記無線基地局は、バックボーン回線に有線で接続されると共に、バックボーン回線に無線通信を用いて接続される第２の無線基地局に無線で接続されて用いられる。
上記第２の無線基地局に帰属する無線通信端末から上記無線基地局の担当するアドレスに送信するパケットを上記無線受信手段が受信すると、上記判定手段は、上記第２の無線基地局を経由して送信する無線送信経路よりも、該パケットの送信先アドレスに上記無線基地局から送信する無線送信経路の方が無線送信経路として短いと判定する。
上記送信制御手段は、上記判定手段の該判定により該パケットを上記バックボーン回線へ送信することが好ましい。
【００１６】
上記判定手段により上記無線基地局から送信する方が無線送信経路として短いと判定された場合、該無線基地局が受信したパケットを上記送信先アドレスに送信する旨を、上記無線受信手段により受信されたパケットに基づいて判断される当該パケットの無線送信経路にある他の無線基地局に通知する送信通知手段を備えたことが好ましい。
【００１７】
上記送信通知手段による通知情報は、上記無線受信手段により受信されたパケットに対する受信確認パケットと、上記送信制御手段が送信を行う旨の識別子とを含む情報として構成されることが好ましい。
【００１８】
上記無線基地局は、バックボーン回線に接続された第１の無線基地局に無線通信で接続されて用いられ、該無線基地局に帰属する無線通信端末からのパケットを受信した際、該パケットを上記バックボーン回線へ送信する旨の通知を上記第１の無線基地局から受信すると、該パケットを無線通信により他の無線基地局へ送信しないようにする送信停止手段を備えたことであってもよい。
【００１９】
また、本発明の第２の態様としての無線基地局は、無線通信によりパケットを受信する無線受信手段を備えた無線基地局であって、上記無線受信手段により受信されたパケットの発信元装置の帰属先無線基地局よりも該無線基地局の方が該パケットの送信先アドレスに送信経路として近いか否かを判定する判定手段と、上記判定手段により該無線基地局の方が送信経路として近いと判定された場合、上記無線受信手段により受信された該パケットを該送信先アドレスに送信する送信制御手段と、を備えたことを特徴とする。
【００２０】
上記発信元装置は無線通信端末であり、上記無線基地局は、バックボーン回線に有線で接続されると共に、バックボーン回線に無線通信を用いて接続される第２の無線基地局に無線で接続されて用いられる。
上記第２の無線基地局に帰属する無線通信端末から上記無線基地局の担当するアドレスに送信するパケットを上記無線受信手段が受信すると、上記判定手段は、上記第２の無線基地局よりも上記無線基地局の方が該パケットの送信先アドレスに送信経路として近いと判定する。
上記送信制御手段は、上記判定手段の該判定により該パケットを上記バックボーン回線へ送信することが好ましい。
【００２１】
上記判定手段により上記無線基地局の方が送信経路として近いと判定された場合、該無線基地局が受信したパケットを上記送信先アドレスに送信する旨を上記帰属先無線基地局に通知する送信通知手段を備えたことが好ましい。
【００２２】
上記送信通知手段による通知情報は、上記無線受信手段により受信されたパケットに対する受信確認パケットと、上記送信制御手段が送信を行う旨の識別子とを含む情報として構成されることが好ましい。
【００２３】
上記受信確認パケットは、上記無線受信手段により受信されたパケットの発信元装置の帰属先である無線基地局からのパケットとして送信されることが好ましい。
【００２４】
上記発信元装置は無線通信端末であり、上記無線基地局は、バックボーン回線に接続された第１の無線基地局に無線通信で接続されて用いられ、該無線基地局に帰属する無線通信端末からのパケットを受信した際、該パケットを上記バックボーン回線へ送信する旨の通知を上記第１の無線基地局から受信すると、該パケットを無線通信により他の無線基地局へ送信しないようにする送信停止手段を備えたことであってもよい。
【００２５】
また、本発明の第３の態様としての無線通信システムは、バックボーン回線に有線で接続された第１の無線基地局と、バックボーン回線に無線通信を用いて接続される第２の無線基地局と、を備えた無線通信システムであって、上記第１の無線基地局は、上記第２の無線基地局に帰属する無線通信端末から当該第１の無線基地局の担当するアドレスに送信するパケットを受信すると、当該パケットを上記バックボーン回線へ送信する送信制御手段を備えたことを特徴とする。
【００２６】
上記第１の無線基地局は、上記送信制御手段が上記パケットを上記バックボーン回線へ送信する時に、当該送信する旨を上記第２の無線基地局に通知する送信通知手段を備えたことが好ましい。
【００２７】
上記第２の無線基地局は、上記送信通知手段からの上記通知を受信すると、当該通知により上記第１の無線基地局が送信するパケットを該第２の無線基地局から他の無線基地局へ送信しないようにする送信停止手段を備えたことが好ましい。
【００２８】
上記送信通知手段による上記通知は、上記無線通信端末からのパケットに対する当該無線通信端末の帰属先である上記第２の無線基地局としての受信確認パケットと、上記送信制御手段が送信を行う旨の識別子とを含む情報として構成されることが好ましい。
【００２９】
また、本発明の第４の態様としての通信制御方法は、無線基地局が無線通信によりパケットを受信する無線受信工程と、上記無線受信工程で受信したパケットに基づいて判断される当該パケットの無線送信経路よりも、当該パケットの送信先アドレスに該無線基地局から送信する無線送信経路の方が無線送信経路として短いか否かを判定する判定工程と、上記判定工程により該無線基地局から該パケットを送信する方が無線送信経路として短いと判定された場合、上記無線受信工程で受信した該パケットを該送信先アドレスに送信する送信制御工程と、を備えたことを特徴とする。
【００３０】
上記無線基地局は、バックボーン回線に有線で接続されると共に、バックボーン回線に無線通信を用いて接続される第２の無線基地局に無線で接続されて用いられる。
上記第２の無線基地局に帰属する無線通信端末から上記無線基地局の担当するアドレスに送信するパケットを上記無線受信工程で受信すると、上記判定工程では、上記第２の無線基地局を経由して送信する無線送信経路よりも、該パケットの送信先アドレスに上記無線基地局から送信する無線送信経路の方が無線送信経路として短いと判定する。
上記送信制御工程では、上記判定工程の該判定により該パケットを上記バックボーン回線へ送信することが好ましい。
【００３１】
上記判定工程により上記無線基地局から送信する方が無線送信経路として短いと判定された場合、該無線基地局が受信したパケットを上記送信先アドレスに送信する旨を、上記無線受信工程で受信したパケットに基づいて判断される当該パケットの無線送信経路にある他の無線基地局に通知する送信通知工程を備えたことが好ましい。
【００３２】
上記送信通知工程における通知情報は、上記無線受信工程で受信したパケットに対する受信確認パケットと、上記送信制御工程が送信を行う旨の識別子とを含む情報として構成されることが好ましい。
【００３３】
上記無線基地局は、バックボーン回線に接続された第１の無線基地局に無線通信で接続されて用いられ、該無線基地局に帰属する無線通信端末からのパケットを受信した際、該パケットを上記バックボーン回線へ送信する旨の通知を上記第１の無線基地局から受信すると、該パケットを無線通信により他の無線基地局へ送信しないようにする送信停止工程を備えたことであってもよい。
【００３４】
また、本発明の第５の態様としての通信制御方法は、無線基地局が無線通信によりパケットを受信する無線受信工程と、上記無線受信工程で受信したパケットの発信元装置の帰属先無線基地局よりも該無線基地局の方が該パケットの送信先アドレスに送信経路として近いか否かを判定する判定工程と、上記判定工程により該無線基地局の方が送信経路として近いと判定された場合、上記無線受信工程で受信した該パケットを該送信先アドレスに送信する送信制御工程と、を備えたことを特徴とする。
【００３５】
上記発信元装置は無線通信端末であり、上記無線基地局は、バックボーン回線に有線で接続されると共に、バックボーン回線に無線通信を用いて接続される第２の無線基地局に無線で接続されて用いられる。
上記第２の無線基地局に帰属する無線通信端末から上記無線基地局の担当するアドレスに送信するパケットを上記無線受信工程で受信すると、上記判定工程では、上記第２の無線基地局よりも上記無線基地局の方が該パケットの送信先アドレスに送信経路として近いと判定する。
上記送信制御工程では、上記判定工程の該判定により該パケットを上記バックボーン回線へ送信することが好ましい。
【００３６】
上記判定工程により上記無線基地局の方が送信経路として近いと判定された場合、該無線基地局が受信したパケットを上記送信先アドレスに送信する旨を上記帰属先無線基地局に通知する送信通知工程を備えたことが好ましい。
【００３７】
上記送信通知工程における通知情報は、上記無線受信工程で受信したパケットに対する受信確認パケットと、上記送信制御工程が送信を行う旨の識別子とを含む情報として構成されることが好ましい。
【００３８】
上記受信確認パケットは、上記無線受信工程で受信したパケットの発信元装置の帰属先である無線基地局からのパケットとして送信されることが好ましい。
【００３９】
上記発信元装置は無線通信端末であり、上記無線基地局は、バックボーン回線に接続された第１の無線基地局に無線通信で接続されて用いられ、該無線基地局に帰属する無線通信端末からのパケットを受信した際、該パケットを上記バックボーン回線へ送信する旨の通知を上記第１の無線基地局から受信すると、該パケットを無線通信により他の無線基地局へ送信しないようにする送信停止工程を備えたことであってもよい。
【００４０】
また、本発明の第６の態様としての通信制御プログラムは、無線基地局に、無線通信によりパケットを受信する無線受信処理と、上記無線受信処理で受信したパケットに基づいて判断される当該パケットの無線送信経路よりも、当該パケットの送信先アドレスに該無線基地局から送信する無線送信経路の方が無線送信経路として短いか否かを判定する判定処理と、上記判定処理により該無線基地局から該パケットを送信する方が無線送信経路として短いと判定された場合、上記無線受信処理で受信した該パケットを該送信先アドレスに送信する送信制御処理と、を実行させることを特徴とする。
【００４１】
上記無線基地局は、バックボーン回線に有線で接続されると共に、バックボーン回線に無線通信を用いて接続される第２の無線基地局に無線で接続されて用いられる。
上記第２の無線基地局に帰属する無線通信端末から上記無線基地局の担当するアドレスに送信するパケットを上記無線受信処理で受信すると、上記判定処理では、上記第２の無線基地局を経由して送信する無線送信経路よりも、該パケットの送信先アドレスに上記無線基地局から送信する無線送信経路の方が無線送信経路として短いと判定する。
上記送信制御処理では、上記判定処理の該判定により該パケットを上記バックボーン回線へ送信することが好ましい。
【００４２】
上記判定処理により上記無線基地局から送信する方が無線送信経路として短いと判定された場合、上記無線基地局に、当該無線基地局が受信したパケットを上記送信先アドレスに送信する旨を、上記無線受信処理で受信したパケットに基づいて判断される当該パケットの無線送信経路にある他の無線基地局に通知する送信通知処理を実行させることが好ましい。
【００４３】
上記送信通知処理における通知情報は、上記無線受信処理で受信したパケットに対する受信確認パケットと、上記送信制御処理が送信を行う旨の識別子とを含む情報として構成されることが好ましい。
【００４４】
上記無線基地局は、バックボーン回線に接続された第１の無線基地局に無線通信で接続されて用いられ、上記無線基地局に、当該無線基地局に帰属する無線通信端末からのパケットを受信した際、該パケットを上記バックボーン回線へ送信する旨の通知を上記第１の無線基地局から受信すると、該パケットを無線通信により他の無線基地局へ送信しないようにする送信停止処理を実行させることであってもよい。
【００４５】
また、本発明の第７の態様としての通信制御プログラムは、無線基地局に、無線通信によりパケットを受信する無線受信処理と、上記無線受信処理で受信したパケットの発信元装置の帰属先無線基地局よりも該無線基地局の方が該パケットの送信先アドレスに送信経路として近いか否かを判定する判定処理と、上記判定処理により該無線基地局の方が送信経路として近いと判定された場合、上記無線受信処理で受信した該パケットを該送信先アドレスに送信する送信制御処理と、を実行させることを特徴とする。
【００４６】
上記発信元装置は無線通信端末であり、上記無線基地局は、バックボーン回線に有線で接続されると共に、バックボーン回線に無線通信を用いて接続される第２の無線基地局に無線で接続されて用いられる。
上記第２の無線基地局に帰属する無線通信端末から上記無線基地局の担当するアドレスに送信するパケットを上記無線受信処理で受信すると、上記判定処理では、上記第２の無線基地局よりも上記無線基地局の方が該パケットの送信先アドレスに送信経路として近いと判定する。
上記送信制御処理では、上記判定処理の該判定により該パケットを上記バックボーン回線へ送信することが好ましい。
【００４７】
上記判定処理により上記無線基地局の方が送信経路として近いと判定された場合、上記無線基地局に、当該無線基地局が受信したパケットを上記送信先アドレスに送信する旨を上記帰属先無線基地局に通知する送信通知処理を実行させることが好ましい。
【００４８】
上記送信通知処理における通知情報は、上記無線受信処理で受信したパケットに対する受信確認パケットと、上記送信制御処理が送信を行う旨の識別子とを含む情報として構成されることが好ましい。
【００４９】
上記受信確認パケットは、上記無線受信処理で受信したパケットの発信元装置の帰属先である無線基地局からのパケットとして送信されることが好ましい。
【００５０】
上記発信元装置は無線通信端末であり、上記無線基地局は、バックボーン回線に接続された第１の無線基地局に無線通信で接続されて用いられ、上記無線基地局に、当該無線基地局に帰属する無線通信端末からのパケットを受信した際、該パケットを上記バックボーン回線へ送信する旨の通知を上記第１の無線基地局から受信すると、該パケットを無線通信により他の無線基地局へ送信しないようにする送信停止処理を実行させることであってもよい。
【発明の効果】
【００５１】
以上のように、本発明によれば、帰属先を変更する必要なく、無線基地局間での無線通信によるトラフィックを低減することができ、無線通信の帯域を有効に活用することができる。
【発明を実施するための最良の形態】
【００５２】
次に、本発明に係る無線通信システム、無線基地局、通信制御方法、および通信制御プログラムを適用した一実施形態について、図面を用いて詳細に説明する。
まず、本実施形態の概要について説明する。
【００５３】
本実施形態は、アクセスポイント間通信といった、有線ＬＡＮなどのバックボーン回線との接続点までの通信経路に無線回線を用いたメッシュネットワークに関するものである。
クライアント（無線通信端末）が送信するパケットを受信可能で、そのクライアントが送信するパケットの送信先にネットワーク的に近いアクセスポイント（無線基地局）が受信処理を代理で行い、パケットを配送するようにすることで、バックホール（backhaul）のトラフィックを低減することができる無線メッシュネットワークを提供する。
【００５４】
次に、本実施形態としての無線通信システムの構成について説明する。
本実施形態としての無線通信システムは、図１に示すように、バックボーン回線に有線のみで接続される有線ＡＰ１（１ａ，１ｂ）と、バックボーン回線に無線通信を用いて接続される無線ＡＰ２（２ａ，２ｂ）とを備える。
【００５５】
有線ＡＰ１は、ルータ４に有線回線のみで接続され、本無線通信システムとして担当するネットワークアドレスが割り当てられている。この担当するネットワークアドレスとは、ルータ４から割り当てられたネットワークアドレスのことである。
図１の例では、有線ＡＰ１ａは、担当するネットワークアドレスが10.1.1.0/24として割り当てられてルータ４ａに接続される。有線ＡＰ１ｂは、担当するネットワークアドレスが192.168.1.0/24として割り当てられてルータ４ｂに接続される。
【００５６】
有線ＡＰ１および無線ＡＰ２は、無線通信端末３と無線通信可能に構成され、無線通信端末３による無線通信を制御する。
図１の例では、有線ＡＰ１ａ、１ｂ、および無線ＡＰ２ａが、インフラストラクチャモードで６ｃｈにより無線通信端末３との無線通信接続可能に設定されている。
無線ＡＰ２ｂは、インフラストラクチャモードで１ｃｈにより無線通信端末３との無線通信接続可能に設定されている。
また、以下の説明では、有線ＡＰ１ａ、１ｂ、および無線ＡＰ２ａ、２ｂが、無線通信端末３からのパケットを正常に受信可能な距離内に設置されていることとして説明する。
【００５７】
無線ＡＰ２（２ａ，２ｂ）は、無線通信端末３からのパケットを、無線基地局間の無線通信による中継回線（バックホール）を用いて有線ＡＰ１（１ａ，１ｂ）に送信する。
図１の例では、１４ｃｈの周波数により中継回線としての無線通信が行われ、この中継回線が、有線ＡＰ１ａ、１ｂ、および無線ＡＰ２ａ、２ｂにより共有されている。
【００５８】
有線ＡＰ１は、図２に示すように、無線通信端末３など他の装置と無線通信を行う無線通信部１１と、ルータ４などネットワークを構成する他の装置と有線での通信を行う有線通信部１２と、本有線ＡＰ１の動作全体を制御する制御部１３と、担当するネットワークアドレス（担当アドレス）１４ａなどを格納する記憶部１４とを備える。
【００５９】
無線ＡＰ２は、図３に示すように、無線通信端末３など他の装置と無線通信を行う無線通信部２１と、本無線ＡＰ２の動作全体を制御する制御部２３と、記憶部２４とを備える。
【００６０】
無線通信端末３は、図４に示すように、有線ＡＰ１や無線ＡＰ２との間で無線通信を行う無線通信部３１と、帰属先無線基地局の選択などの制御を行う通信制御部３２と、本音声通話端末３の動作全体を制御する制御部３３と、記憶部３４とを備える。
【００６１】
次に、本実施形態としての無線通信システムによる動作について説明する。
処理手順の概要は以下のようになる。
（１）  無線通信端末３がパケットを送信。無線ＡＰ２ａおよび有線ＡＰ１ｂが受信する。
（２）  有線ＡＰ１ｂは、ＡＣＫ（Acknowledge；確認応答）パケットに代理送信（代理処理）する旨の識別子を格納して送信する。
（３）  無線ＡＰ２ａは、有線ＡＰ１ｂからのＡＣＫパケットの代理処理識別子を確認し、バックホールへの配送を停止する。有線ＡＰ１ｂがパケットを送信先へ配送する。
【００６２】
次に、本実施形態としての無線通信システムによる動作について、図５のフローチャートを参照して詳細に説明する。
まず、無線通信端末３は、無線ＡＰ２ａに帰属要求を発信するなどして、無線ＡＰ２ａに帰属した状態であるとする（ステップＳ１）。
【００６３】
ここで、無線通信端末３で使用するアプリケーションを変更するなどにより、送信先アドレスが変更されたとする。図５の例では、送信先アドレスが192.168.1.0/24に変更され、その送信先アドレスに対して無線通信端末３からのパケット送信を行うとする（ステップＳ２）。
【００６４】
このことにより、無線通信端末３との無線通信に用いるユーザサービスチャンネルが同じである有線ＡＰ１ａ、１ｂ、および無線ＡＰ２ａが、送信されたパケットを正常に受信できたとする。ここで、図５の例での通信チャンネルが異なる無線ＡＰ２ｂは、通信チャンネルが異なるため、無線通信端末３が電波到達範囲内にあったとしても、パケットを受信しない。
【００６５】
また、ステップＳ２でのパケット送信では、有線ＡＰ１ｂの担当アドレスに対してパケットが送信されている。すなわち図５の例で言えば、192.168.1.0/24のアドレスに対してパケットが送信されている。
このため、有線ＡＰ１ａは自局の担当アドレスと異なるため、ステップＳ２で送信されたパケットに対して反応しない。
【００６６】
こうして、ステップＳ２で無線通信端末３から送信されたパケットを有線ＡＰ１ｂが受信すると、受信したパケットから発信元の無線通信端末３を特定し、自局の担当アドレスに対してパケットが送信されていることから、その発信元の無線通信端末３が帰属する無線ＡＰ２ａよりも自局の方が送信先アドレスに送信経路として近いと判定する。
この判定に基づき、有線ＡＰ１ｂは、代理受信処理として、無線通信端末３の帰属先である無線ＡＰ２ａのＢＳＳＩＤ（基本サービス識別子）によるＡＣＫパケットに、有線ＡＰ１ｂがパケットの代理送信処理を行うことを示す代理送信の識別子を含めて無線通信端末３に送信する。
【００６７】
また、ステップＳ２で無線通信端末３から送信されたパケットは、無線通信端末３の帰属先である無線ＡＰ２ａにも受信され、無線ＡＰ２ａは、通常の受信処理として、自局のＢＳＳＩＤによるＡＣＫパケットを無線通信端末３に送信する（ステップＳ３）。
【００６８】
無線通信端末３は、有線ＡＰ１ｂおよび無線ＡＰ２ａから送信されたＡＣＫパケットを受信し、ステップＳ２でのパケット送信処理を完了する。
【００６９】
無線ＡＰ２ａは、有線ＡＰ１ｂからの代理送信の識別子を含んだＡＣＫパケットを受信すると、ステップＳ２で無線通信端末３から送信されたパケットの中継回線（バックホール）への送信処理を停止する。
すなわち、通常のパケット受信処理であれば、この後、無線ＡＰ２ｂを経由して、有線ＡＰ１ｂへ２回のリレー処理によりパケットの送信処理を行うが、この無線ＡＰ２ａから無線ＡＰ２ｂへのアクセスポイント間無線通信を停止する（ステップＳ４）。
【００７０】
有線ＡＰ１ｂは、上述したステップＳ３で代理送信の識別子を含んだＡＣＫパケットを送信した後、ステップＳ２で無線通信端末３から送信されたパケットの中継回線（バックホール）への送信処理を、代理処理として行う（ステップＳ５）。
【００７１】
このように、本実施形態としての無線メッシュネットワークでは、有線ＡＰ１が、以下の機能を有する。
（１）  パケット送信先（エンドポイント）にネットワークの距離が近いＡＰが代理で受信し、パケットを送信先へ代理送信する機能を有する。
（２）  無線通信端末３の受信確認のパケット（ＡＣＫ）を送信するとともに、帰属先無線基地局に対して代理送信処理する旨の通知を行う機能を有する。
【００７２】
また、無線ＡＰ２が、以下の機能を有する。
（１）  無線通信端末３からのパケットを代理送信する旨の通知を受信すると、バックホールへのパケット配送を停止する機能を有する。
【００７３】
以上のように、本実施形態としての無線通信システムでは、有線ＡＰ１ａ、１ｂ、および無線ＡＰ２ａが使用するユーザサービスチャンネルが同じであり、無線ＡＰ２ａに帰属している無線通信端末３からのパケットを、そのパケットの送信先アドレスを担当アドレスとしている有線ＡＰ１ｂも正常に受信できた場合、その有線ＡＰ１ｂがパケットの受信処理を行い、パケットを送信先へ送信する。
このことにより、無線ＡＰ２ａから無線ＡＰ２ｂ、さらにその無線ＡＰ２ｂから有線ＡＰ１ｂという２回のリレー処理を行うことなく、パケットを送信先へ送信することができるため、リレー処理によるバックホールトラフィックを低減させることができる。
【００７４】
また、パケットを受信した有線ＡＰ１ｂが、帰属先無線基地局である無線ＡＰ２ａの代理としてパケットの送信処理を行うことにより、帰属先無線基地局の切り替え処理を必要とせず、上述したバックホールトラフィックの低減を実現することができる。
【００７５】
このため、本実施形態によれば、以下の効果を得ることができる。
（１）  帰属先切り替え処理のための切り替え時間が不要であり、切り替えに伴う無通信状態も発生しないなど、通信に支障が発生しないようにしてバックホールトラフィックの低減を実現することができる。
（２）  不図示の認証サーバにより認証を行う構成であっても、帰属先の切り替え処理に伴う暗号鍵情報の送受信といったことが不要であり、その送受信によるトラフィック量の増大を招くことなく、バックホールトラフィックの低減を実現することができる。
（３）  帰属先切り替えにより新たな帰属先での通信のための帯域を取り直す必要がないため、例えば切り替え処理と同時に他の端末が帰属要求を同時に発信してきた場合に切り替え不能となるといったリスクを発生させることなく、バックホールトラフィックの低減を実現することができる。
【００７６】
また、上述したバックホールトラフィックの低減だけでなく、リレー処理のための処理遅延時間も抑えることができる。
【００７７】
このように、本実施形態によれば、アクセスポイントに接続する端末が送信したパケットをパケットの配送先に近い受信可能なＡＰが代理送信できるため、無線通信端末３の帰属先である無線ＡＰが無線通信により中継する必要をなくすことができる。
このため、無線基地局間で無線通信が行われることによるトラフィックを低減し、無線通信の帯域を有効に活用することができると共に、リレー処理のための処理遅延時間も抑えることができる。
【００７８】
なお、上述した各実施形態は本発明の好適な実施形態であり、本発明はこれに限定されることなく、本発明の技術的思想に基づいて種々変形して実施することが可能である。
例えば、無線基地局が有線ＡＰ２、無線ＡＰ２それぞれ２台の合計４台であることとして説明したが、バックボーン回線に無線通信を用いて接続される無線基地局と、バックボーン回線に有線のみで接続される無線基地局とが混在して無線メッシュネットワークを構成していれば台数はこのものに限定されず、任意の台数であってよい。
【００７９】
また、上述した実施形態では、有線ＡＰと無線ＡＰとが異なる構成の別々の装置であることとして説明したが、この構成に限定されず、各アクセスポイントが有線ＡＰとしても無線ＡＰとしても動作しうる構成を備え、１つの装置がモード切替により、有線ＡＰとしても無線ＡＰとしても使用可能であるように構成されていても、本発明は同様に実現することができる。
【００８０】
また、上述した各実施形態では、有線ＡＰ１ｂがパケットを受信し（ステップＳ２）、その有線ＡＰ１ｂの担当アドレスに対してパケットが送信されていると判定した場合に代理受信（ステップＳ３）、代理送信（ステップＳ５）を行うこととして説明したが、このことに限定されるものではない。
例えば、受信したパケットからパケット発信元装置を特定し、その特定されたパケット発信元からの通常の無線送信経路を推定し、その推定される無線送信経路よりも、受信した有線ＡＰ１ｂから送信先アドレスに送信する無線送信経路の方が無線送信経路として短いと判定した場合に、上述した代理受信、代理送信を行う構成であってもよい。
【００８１】
この場合、上述した実施形態における有線ＡＰの動作は、無線通信端末３からのパケットを代理受信、代理送信することに限定されず、無線基地局からのパケットを受信した時に、代理受信、代理送信を行う構成であってもよい。
すなわち、図６の例を用いて説明すると、無線ＡＰ２ａに帰属する無線通信端末３からのパケットを無線ＡＰ２ａが受信し、無線ＡＰ２ｂ宛にリレー送信した時に、その無線ＡＰ２ｂ宛のリレー送信パケットを有線ＡＰ１ｂが受信した場合、有線ＡＰ１ｂが無線ＡＰ２ｂに代わって代理受信、代理送信を行う構成（図６における一般通信経路でなく、無線ＡＰ２ｂを経由しない通信経路とする構成）であっても、本発明は同様に実現することができる。
【００８２】
また、有線ＡＰ１は、有線ＬＡＮなどのバックボーン回線に有線で接続されることとして説明したが、無線基地局間の無線通信帯域に比べて十分に大容量の通信容量を有する回線で接続されていればこのものに限定されず、例えば、上述した実施形態における有線ＡＰ１が、バックボーンネットワークに大容量の無線通信で接続される構成であっても、本発明は同様に適用することができる。
【００８３】
また、上述した各実施形態としての無線通信システムを実現するための処理手順をプログラムとして記録媒体に記録することにより、本発明の各実施形態による上述した各機能を、その記録媒体から供給されるプログラムによって、システムを構成するコンピュータのＣＰＵに処理を行わせて実現させることができる。
この場合、上記の記録媒体により、あるいはネットワークを介して外部の記録媒体から、プログラムを含む情報群を出力装置に供給される場合でも本発明は適用されるものである。
すなわち、記録媒体から読み出されたプログラムコード自体が本発明の新規な機能を実現することになり、そのプログラムコードを記憶した記録媒体および該記録媒体から読み出された信号は本発明を構成することになる。
この記録媒体としては、例えば、フロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いてよい。
【００８４】
この本発明に係るプログラムによれば、当該プログラムによって制御される無線通信システムに、上述した本発明に係る各実施形態としての無線通信システムにおける各機能を実現させることができる。
【図面の簡単な説明】
【００８５】
【図１】本発明の実施形態としての無線通信システム周りの構成例を示すブロック図である。
【図２】有線ＡＰ１の構成例を示すブロック図である。
【図３】無線ＡＰ２の構成例を示すブロック図である。
【図４】無線通信端末３の構成例を示すブロック図である。
【図５】本発明の実施形態としての無線通信システムの動作を示すシーケンス図である。
【図６】該実施形態の他の動作例を説明するためのブロック図である。
【図７】従来の無線通信システムによるリレー処理を示すブロック図である。
【図８】従来の無線通信システムで帰属先変更を行う場合のリレー処理を示すブロック図である。
【符号の説明】
【００８６】
１（１ａ，１ｂ）    有線ＡＰ（第１の無線基地局の一例）
１１    無線通信部
１２    有線通信部
１３    制御部
１４    記憶部
１４ａ    担当するネットワークアドレス（担当アドレス）
２（２ａ，２ｂ）    無線ＡＰ（第２の無線基地局の一例）
２１    無線通信部
２３    制御部
２４    記憶部
３    無線通信端末
３１    無線通信部
３２    通信制御部
３３    制御部
３４    記憶部
【図１】
2008017419.tif 000003
【図２】
2008017419.tif 000004
【図３】
2008017419.tif 000005
【図４】
2008017419.tif 000006
【図５】
2008017419.tif 000007
【図６】
2008017419.tif 000008
【図７】
2008017419.tif 000009
【図８】
2008017419.tif 000010